(57)【要約】【課題】中断理由にしたがって電子メールの送信先を変更したり、追加したりできるようにして、中断時の処置を利用者がスムースに行える画像処理ジョブ中断通知方法などを提供する。【解決手段】ネットワークに接続された画像処理装置から画像処理ジョブの中断発生を通知する画像処理ジョブ中断通知方法において、画像処理ジョブ指示時、指示したユーザーを示すユーザーコードを入力させ（ステップＳ１）、指示された画像処理ジョブを、その実行を妨げる中断理由により中断したとき（ステップＳ５でＹＥＳ）、ユーザーコードに対応するメールアドレスへ中断を通知する電子メールを送信し（ステップＳ６）、さらに、中断理由に関係する関係メールアドレスに対して中断を通知する電子メールを送信する（ステップＳ７〜Ｓ１０）構成にした。【選択図】　　　図５
2004064452.tif 000002
【特許請求の範囲】
【請求項１】
ネットワークに接続された画像処理装置において、指示された画像処理ジョブを、その実行を妨げる中断理由により中断したとき、その中断理由に従って前記画像処理ジョブまたは中断理由に関係する関係メールアドレスに対して中断状態の発生を通知する電子メールを送信する中断通知手段を備えたことを特徴とする画像処理装置。
【請求項２】
請求項１記載の画像処理装置において、前記関係メールアドレスを中断理由に従って追加する構成にしたことを特徴とする画像処理装置。
【請求項３】
請求項１または請求項２記載の画像処理装置において、前記電子メール中に当該画像処理装置のＵＲＬアドレスを含む構成にしたことを特徴とする画像処理装置。
【請求項４】
ネットワークに接続された画像処理装置から画像処理ジョブの中断発生を通知する画像処理ジョブ中断通知方法において、指示された画像処理ジョブを、その実行を妨げる中断理由により中断したとき、その中断理由に従って前記画像処理ジョブまたは中断理由に関係する関係メールアドレスに対して中断状態の発生を通知する電子メールを送信することを特徴とする画像処理ジョブ中断通知方法。
【請求項５】
請求項４記載の画像処理ジョブ中断通知方法において、前記関係メールアドレスを中断理由に従って追加することを特徴とする画像処理ジョブ中断通知方法。
【請求項６】
請求項４または請求項５記載の画像処理ジョブ中断通知方法において、前記電子メール中に当該画像処理装置を示すアドレスを含む構成にしたことを特徴とする画像処理ジョブ中断通知方法。
【請求項７】
請求項６記載の画像処理ジョブ中断通知方法において、前記アドレスがＵＲＬアドレスであることを特徴とする画像処理ジョブ中断通知方法。
【請求項８】
請求項６または請求項７記載の画像処理ジョブ中断通知方法において、画像処理装置から前記アドレスを含む前記電子メールを受信した端末装置が、表示されたブラウザを用いてそのアドレスに対して表示要求を行ったとき、その表示要求を受信した前記画像処理装置が中断理由または処置方法を含む情報を前記端末装置へ送信し、その情報を受信した前記端末装置では、受信した情報を表示させることを特徴とする画像処理ジョブ中断通知方法。
【請求項９】
画像処理装置上で実行されるプログラムにおいて、請求項４乃至請求項８のいずれか１項に記載の画像処理ジョブ中断通知方法によった画像処理ジョブ中断通知処理を実行させるようにプログラミングされていることを特徴とするプログラム。
【請求項１０】
プログラムを記憶した記憶媒体において、請求項９記載のプログラムを記憶したことを特徴とする記憶媒体。
【発明の詳細な説明】
【０００１】
【発明の属する技術分野】
本発明は、ネットワークに接続されたデジタル複写機やプリンタなど画像処理装置における画像処理ジョブ中断通知方法に関する。
【０００２】
【従来の技術】
事業所内に設置されたＬＡＮなどネットワークインフラの普及に伴い、デジタル複写機、プリンタ、スキャナなどをネットワークに接続し、複数の端末装置（クライアント装置、例えばネットワーク接続機能を備えたパーソナルコンピュータ）がそれらを共用する利用法も普及している。
そのような利用法により、従来、例えばネットワーク上のプリンタを用いる場合には、端末装置からプリンタに対してプリントジョブを発行し、プリンタからジョブ発行元の端末装置に対しては、ジョブ終了通知、エラー通知、ジョブ実行中通知などを発行していた。
特開２００１−２１６１０５公報に示された技術はこのような従来技術の一つであり、ネットワークに接続されたパーソナルコンピュータおよびプリンタを有し、そのパーソナルコンピュータは電子メール以外の手段によりプリントデータをプリンタへ送り、プリンタはプリントデータ中からプリントジョブ発行元の電子メールアドレスを抽出し、その電子メールアドレスを用いて電子メールにより所定の情報を通知するものである。
また、特開２０００−２００２２６公報に示された技術では、ネットワークに接続されたスキャナやプリンタを有し、そのスキャナにより原稿上の画像を読み取らせ、読み取った画像データをネットワークを介してプリンタへ送り、そのプリンタで紙上にプリント出力することによりコピーを行うことができるし、その際、そのスキャナに電子メール宛先を設定することにより、そのスキャナまたは前記プリンタにおけるコピージョブの状態をその電子メール宛先へ通知させることができるものである。
【０００３】
【発明が解決しようとする課題】
ところで、プリンタやデジタル複写機など画像処理装置で発生する中断理由には、「紙なし」など各利用者が処置可能なもの、「トナーなし」など運用形態によっては管理者の処置が必要なもの、また、特別の異常発生のようにカスタマエンジニアの処置が必要なものなどがある。したがって、異常発生による中断時の通知はその中断理由により適切な宛先に出されるべきであるのに、前記した従来技術においては、中断理由による通知先の振り分けができなかった。
本発明の目的は、このような従来技術の問題を解決することにあり、具体的には、中断理由にしたがって電子メールの送信先を変更したり、追加したりできるようにして、中断時の処置を利用者がスムースに行える画像処理ジョブ中断通知方法などを提供することにある。また、併せて、複数の画像処理装置でジョブ実行中の場合、中断した画像処理装置の特定を即座に行ったりすることができるようにする。
【０００４】
【課題を解決するための手段】
前記の課題を解決するために、請求項１記載の発明では、ネットワークに接続された画像処理装置において、指示された画像処理ジョブを、その実行を妨げる中断理由により中断したとき、その中断理由に従って前記画像処理ジョブまたは中断理由に関係する関係メールアドレスに対して中断状態の発生を通知する電子メールを送信する中断通知手段を備えた。
したがって、ネットワークに接続された画像処理装置にて指示された画像処理ジョブがその実行を妨げる中断理由により中断したとき、その中断理由に従ってその画像処理ジョブまたは中断理由に関係する関係メールアドレスに対して中断状態の発生が通知されるので、利用者はジョブ中断時の処置をスムースに行える。
請求項２記載の発明では、請求項１記載の発明において、前記関係メールアドレスを中断理由に従って追加する構成にした。
したがって、関係メールアドレスを中断理由に従って追加することができるので、例えば当初の設定では中断時の通知先を画像処理ジョブを指示した者のメールアドレスだけにしておき、中断理由によっては当該画像処理装置の管理者やカスタマエンジニアなどにも通知するようにすることができる。
【０００５】
請求項３記載の発明では、請求項１または請求項２記載の発明において、前記電子メール中に当該画像処理装置のＵＲＬアドレスを含む構成にした。
したがって、中断を通知する電子メール中に当該画像処理装置のＵＲＬアドレスを含んでいるので、例えば複数の画像処理装置で並行して画像処理ジョブを行わせていた場合でも、どの画像処理装置の画像処理ジョブが中断されたかわかるし、ＵＲＬアドレスを用いて中断に係わる詳細情報を取得することができる。
請求項４記載の発明では、ネットワークに接続された画像処理装置から画像処理ジョブの中断発生を通知する画像処理ジョブ中断通知方法において、指示された画像処理ジョブを、その実行を妨げる中断理由により中断したとき、その中断理由に従って前記画像処理ジョブまたは中断理由に関係する関係メールアドレスに対して中断状態の発生を通知する電子メールを送信する構成にした。
したがって、ネットワークに接続された画像処理装置にて指示された画像処理ジョブがその実行を妨げる中断理由により中断したとき、その中断理由に従ってその画像処理ジョブまたは中断理由に関係する関係メールアドレスに対して中断状態の発生が通知されるので、利用者はジョブ中断時の処置をスムースに行える。
請求項５記載の発明では、請求項４記載の発明において、前記関係メールアドレスを中断理由に従って追加する構成にした。
したがって、関係メールアドレスを中断理由に従って追加することができるので、例えば当初の設定では中断時の通知先を画像処理ジョブを指示した者のメールアドレスだけにしておき、中断理由によっては当該画像処理装置の管理者やカスタマエンジニアなどにも通知するようにすることができる。
請求項６記載の発明では、請求項４または請求項５記載の発明において、前記電子メール中に当該画像処理装置を示すアドレスを含む構成にした。
したがって、中断を通知する電子メール中に当該画像処理装置を示すアドレスを含んでいるので例えば複数の画像処理装置で並行して画像処理ジョブを行わせていた場合でも、どの画像処理装置の画像処理ジョブが中断されたかわかる。
【０００６】
請求項７記載の発明では、請求項６記載の発明において、アドレスがＵＲＬアドレスである構成にした。
したがって、中断を通知する電子メール中に当該画像処理装置のＵＲＬアドレスを含んでいるので、例えば複数の画像処理装置で並行して画像処理ジョブを行わせていた場合でも、どの画像処理装置の画像処理ジョブが中断されたかわかるし、ＵＲＬアドレスを用いて中断に係わる詳細情報を取得することができる。
請求項８記載の発明では、請求項６または請求項７記載の発明において、画像処理装置から前記アドレスを含む前記電子メールを受信した端末装置が、表示されたブラウザを用いてそのアドレスに対して表示要求を行ったとき、その表示要求を受信した前記画像処理装置が中断理由または処置方法を含む情報を前記端末装置へ送信し、その情報を受信した前記端末装置では、受信した情報を表示させる構成にした。
したがって、画像処理装置から前記アドレスを含む電子メールを受信した端末装置が、表示されたブラウザを用いてそのアドレスに対して表示要求を行ったとき、その表示要求を受信した画像処理装置が中断理由または処置方法を含む情報をその端末装置へ送信し、その情報を受信した端末装置では、受信した情報を表示させることができるので、利用者はジョブ中断に対して適切に且つすばやく対応することができる。
請求項９記載の発明では、画像処理装置上で実行されるプログラムにおいて、請求項４乃至請求項８のいずれか１項に記載の画像処理ジョブ中断通知方法によった画像処理ジョブ中断通知処理を実行させるようにプログラミングされている構成にした。
これにより請求項４乃至請求項８のいずれか１項に記載の画像処理ジョブ中断通知方法によった画像処理ジョブ中断通知処理をプログラムにより画像処理装置上で実行させることができるので、これまで請求項４乃至請求項８のいずれか１項に記載の発明によった画像処理ジョブ中断通知処理を行えなかった画像処理装置にそのようなプログラムを備えることによりその画像処理装置において請求項４乃至請求項８のいずれか１項に記載の発明の効果を得ることができる。
また、請求項１０記載の発明では、プログラムを記憶した記憶媒体において、請求項９記載のプログラムを記憶した。
これによりプログラムを着脱可能な記憶媒体に記憶することができるので、その記憶媒体をこれまで請求項４乃至請求項８のいずれか１項に記載の発明によった画像処理ジョブ中断通知処理を行えなかった画像処理装置に装着することにより、その画像処理装置においても請求項４乃至請求項８のいずれか１項に記載の発明の効果を得ることができる。
【０００７】
【発明の実施の形態】
以下、画像処理装置がデジタル複写機の場合について図面により本発明の実施の形態を詳細に説明する。
図１は本発明の一実施例を示すデジタル複写機の概念図である。図示したように、この実施例のデジタル複写機は圧板上に置かれた原稿上をスキャンして画像を読み取る読み取りユニット５０を備えている。この読み取りユニット５０は原稿を載置するコンタクトガラス７と光学走査系で構成されており、光学走査系には、露光ランプ５１、第１ミラー５２、レンズ５３、ＣＣＤイメージセンサ５４などを備えている。また、その露光ランプ５１および第１ミラー５２は図示していない第１キャリッジ上に固定され、第２ミラー５５および第３ミラー５６が図示していない第２キャリッジ上に固定されている。そして、原稿像を読み取るときには、光路長が変わらないように、第１キャリッジと第２キャリッジとが２対１の相対速度で機械的に走査される。このような光学走査系が図示していないスキャナ駆動モータにより駆動され、それにより、原稿画像がＣＣＤイメージセンサ５４によって読み取られ、電気信号に変換され処理されるのである。
また、このデジタル複写機は、図１に示したように、シート原稿を自動的に読み取るための自動原稿送り装置（ＡＤＦ）１を備えている。この自動原稿送り装置１では、原稿台２に置かれた原稿が給送ローラ３によって原稿読み取りセンサ６の位置に送り込まれ、その原稿がそのまま一定の速度で原稿読み取りセンサ６の上を通過し、このとき、原稿の画像が原稿読み取りセンサ６によって読み取られる。さらに、読み取られた画像データはＭＴＦ補正、フィルタ処理、圧縮などの画像処理を施され、その後、順次画像メモリに蓄えられる。なお、この実施例では、画像読み取りセンサ６は密着型の等倍ＣＣＤデバイスなどを想定している。また、このデジタル複写機は、書き込みユニット５７を備えている。図１に示したように、この書き込みユニット５７はレーザ出力ユニット５８、結像レンズ５９、ミラー６０を備え、そのレーザ出力ユニット５８の内部には、レーザ光源であるレーザダイオードおよびモータによって高速で定速回転する多角形ミラー（ポリゴンミラー）を備えている。そして、書き込みユニット５７から出力されるレーザ光が画像作像系の感光体１５に照射される。
【０００８】
感光体１５に作像された画像を印刷する手順はおおよそ以下の通りである。
まず、第１トレイ８、第２トレイ９、第３トレイ１０などに積載された転写紙が各々第１給紙装置１１、第２給紙装置１２、第３給紙装置１３によって給紙され、縦搬送ユニット１４によって感光体１５に当接する位置まで搬送される。一方、メモリ上の画像データが書き込みユニット５７からのレーザーによって感光体１５に書き込まれ、現像ユニット２７を通過することによってトナー像が形成される。そして、転写紙が感光体１５の回転と等速で搬送ベルト１６により搬送されている状態で、感光体１５上のトナー像がその転写紙に転写される。その後、定着ユニット１７により画像が転写紙に定着され、その転写紙が排紙ユニット１８によって排紙トレイ１９に排出される。なお、定着ユニット１７は、ローラーの薄肉化と大電力ヒータにより数秒で定着可能になるように構成されている。
【０００９】
また、転写紙の両面に画像を作像する場合は、図１または図２に示したように、各給紙トレイ８〜１０から給紙され作像された転写紙を反転経路切替爪１１５を切り替えることにより、排紙トレイ１９側に導かないで両面入紙搬送路１１３に搬送し、反転ユニット１１２でスイッチバック反転し、用紙揃えジョガー１１７で両サイドをそろえた後、両面搬送ユニット１１１に送る。
両面搬送ユニット１１１に送られた転写紙は再度縦搬送ユニット１４に送られて裏面に画像を印刷され、排紙される。なお、転写紙を単に反転して排出する場合は、反転ユニット１１２でスイッチバック反転した転写紙を反転排紙搬送路１１４に送り出して排紙する。
また、本体から排紙される転写紙はフィニッシャ２００に排紙される。また、フィニッシャ２００に排紙された転写紙をステープル処理する場合は、一旦ステープルスタックトレイ２０１にスタックする。そして、すべての転写紙がステープルスタックトレイ２０１に溜められた後、この用紙束がステープラユニット２０２により綴じられ、上排出トレイ２０３または下排出トレイ２０４に排出される。それに対して、ステープル動作を行なわない場合、転写紙はストレート排紙搬送路２０７を通り、同じように排紙トレイ２０３、２０４に排紙される。なお、排紙トレイ２０３、２０４は上下に移動することにより、ステープルスタックトレイ２０１あるいはストレート排紙搬送路２０７からの転写紙を選択的にどちらかに排紙させることができる。また、各排紙トレイ２０３、２０４には印刷済みの転写紙が残っているかどうかを検出するための用紙検知手段２０５、２０６が設けられている。
【００１０】
このようなデジタル複写機の制御ユニット要部の構成ブロック図を図３に示す。
図示したように、メインＣＰＵ２１を内臓したシステム制御部２０を備え、そのメインＣＰＵ２１が、操作部３０、液晶ディスプレイ３１、およびキー入力部３２を用いた情報入力制御および表示出力制御、ＡＤＦ１の制御、メインモータ２５などの各種負荷制御、フィニッシャユニット２００の制御などを行なっている。
【００１１】
図４に、システム制御部２０および画像処理部の構成ブロック図を示す。
図示したような構成で、例えばＡＤＦ１内の原稿読み取りセンサ（例えばＣＣＤセンサ）６により読み取られた画像信号は、Ａ／Ｄコンバータ６１によりデジタル信号に変換される。そして、デジタル信号に変換された画像信号は、シェーディング補正部６２によりシェーディング補正された後、画像処理部６３によりＭＴＦ補正、γ補正などがなされる。さらに、変倍処理部７２を経由した画像データは変倍率に合せて拡大縮小され、画像メモリコントローラ６５へ送られる。そして、メモリコントローラ６５に入ってきた画像データは一次圧縮処理をかけられてから画像メモリ６６に書き込まれる。なお、ここまでの動作は、原稿読み込みを開始するとそのページすべてをメモリに書き込むまで停止することなく実行される。
画像メモリ６６に書きこまれた画像データ（画像イメージ）は２次圧縮部６７により２次圧縮され、ハードディスク装置（ＨＤＤ）６８に書きこまれる。なお、この動作は原稿から読み取って画像メモリ６６に画像データを書き込む動作とは同期せずに行なうことができるように構成されている（つまり、画像データが画像メモリ６６に格納された後は、ＨＤＤ６８がレディー状態になっていれば任意のタイミングでＨＤＤ６８へ転送可能である）。
また、システム制御部２０には、前記したＣＰＵ２１の他に図４に示したＲＯＭ６９、ＲＡＭ７０、ネットワークインタフェースコントローラ（ＮＩＣ）７３を備えている。このＮＩＣ７３は、内部に電子メールプロトコル（通信手順）を内蔵しており、このデジタル複写機のメールアドレスと送信内容をその電子メールプロトコルに従って外部ネットワークに送信することができる。
また、このＮＩＣ７３にはＷｅｂページ（各ページの情報がくもの巣状にリンクされている）サーバー機能も搭載しており、外部からページの表示要求があると、このデジタル複写機のジョブ実行状態や、中断・異常発生状態などを複数ページにレイアウトしたＨＴＭＬファイルを要求元に対して送信することができる。なお、この実施例では、請求項１記載の中断通知手段がＮＩＣ７３により実現される。
また、画像メモリ６６に書き込まれた画像データを印刷する場合は、画像メモリ６６からメモリコントローラ６５に画像データが送られ、そこから書き込みγ補正ユニット７１を経由し書き込みユニット５７へ送られる。そして、書き込みユニット５７に送られた画像データにより感光体上に潜像を作成し、これを現像化することでコピー画像を得る。なお、画像を印刷しない場合（単にＨＤＤ６８に蓄積だけしておく場合）はこの印刷動作は行なわない。
【００１２】
次に、画像処理ジョブとして、画像読み取り、画像データ処理、および画像形成処理から成るコピージョブがこのデジタル複写機に対して指示された際の動作とその中断通知処理を図５に示した動作フローに従って説明する。なお、画像処理ジョブの指示（要求）はネットワークを介して端末装置からも行うことができるが、以下の説明はこのデジタル複写機の操作手段によりコピージョブを直接指示した場合である。
このデジタル複写機においては、コピー動作が開始される際、液晶ディスプレイ３１の画面にはユーザーコードの入力を促す内容を図６に示したように表示している（ステップＳ１）。そして、利用者が操作部３０、液晶ディスプレイ３１、およびキー入力部３２から成る操作手段によりユーザーコードを入力すると、ＣＰＵ２１は入力された数値を取得し、その数値をＲＡＭ７０に読み出されているユーザーコードテーブル（図９参照）と照合する（ユーザーコードチェックを行う）（ステップＳ２）。なお、ユーザーコードテーブルは予め作成され、ハードディスク装置６８に保存されているが、例えばこのデジタル複写機に電源を投入したときにＲＡＭ７０に読み出される。また、ユーザーコードは利用者を制限するための認証番号もかねており、この番号がテーブル上に存在している場合のみコピー可能とする。
ユーザーコード有無判定の結果、入力されたユーザーコードがユーザーコードテーブル上にないと判定されたならば（ステップＳ２で“テーブルにない”）、ＣＰＵ２１は図６に示したユーザーコード入力画面を再表示させる（ステップＳ３）。それに対して、ユーザーコードテーブルにあると判定された場合には（ステップＳ２で“テーブルにある”）、ジョブ中断通知メールを送信するか否かを選択する画面を表示する（図７参照）。そして、利用者が、「はい」または「いいえ」を選択すると、選択結果を記憶し、コピー可能画面を表示させる（図８参照）。
続いて、ＣＰＵ２１は図８に示した画面を用いて利用者に対してコピー枚数などコピージョブの内容を設定させ、設定に従ったコピージョブを開始する（ステップＳ４）。そして、図７の画面で「はい」を選択した場合、そのコピー動作中に、例えば「紙なし」など何らかの中断原因（中断理由）が発生してコピージョブが中断すると（ステップＳ５でＹＥＳ）、ＣＰＵ２１は、ＮＩＣ７３を介し、既に入力されているユーザーコードに対応するメールアドレス（図９参照）の端末装置（クライアント装置）へ図１０に示したような電子メールを送信する（ステップＳ６）。なお、図１０に示した例では、入力されたユーザーコードが「１１１１２２２２」であるので、対応するアドレスである「ｍｏｔｏｋｉ＠ｃｏｐｙ．ｉｃｏｈ．ｃｏ．ｊｐ」に対して電子メールを送る。
【００１３】
図１０に示したように、このメールの本文には受け付けたときのユーザーコードと、受付時間、原稿枚数、中断が発生した当該複写機のＵＲＬが記載されているので、複数の複写機でコピー中であっても、利用者はどの複写機でコピージョブが中断したかを判断することができる。
さらに、中断した理由が「トナーなし」など管理者の処置を必要とする場合は（ステップＳ７でＹＥＳ）、アドレステーブルに管理者として登録されているＡＤＭＩＮアドレスに対しても電子メールを送信する（ステップＳ８）。また、中断理由がカスタマエンジニアの処置を必要とする特定の異常発生である場合は（ステップＳ９でＹＥＳ）、アドレステーブルにカスタマエンジニアとして登録されているＣＥアドレスに対しても電子メールを送信する（ステップＳ１０）。
なお、前記したような中断した旨の通知に応じて端末装置から送信されてきた電子メールには当該複写機のＷｅｂページＵＲＬが添付されているので、ＮＩＣ７３がＣＰＵ２１を介してそのＵＲＬのＷｅｂページの情報を予め記憶しておいたＨＤＤ６８などから読み出し、その情報をその端末装置へ送信する。これにより、その端末装置では、図１１に示したような状態表示を行う。
一方、ステップＳ５において、中断状態が発生せずに（ステップＳ５でＮＯ）ジョブが正常に終了した場合には（ステップＳ１１でＹＥＳ）、その時点でこの動作フローから抜ける。
【００１４】
以上、画像処理ジョブがコピージョブの場合で説明したが、画像処理ジョブは端末装置から転送される画像データをプリント出力するプリントジョブであってもよく、その場合、端末装置はユーザーコードを含むプリントジョブ要求とプリント出力する画像データをこのデジタル複写機へ送ってくる。そして、その後、前記したステップＳ２以下を実行する。
また、このデジタル複写機のスキャナ（読み取りユニット５０）により原稿から画像を読み取り、読み取った画像データを端末装置へ転送する画像入力ジョブの場合には、読み取りが正常終了すれば、読み取った画像データをそのとき入力されたユーザーコードに対応づけれたメールアドレスの端末装置へ転送し、何らかの理由により画像入力ジョブが中断された場合には、コピージョブの場合と同様に関係メールアドレスへ中断した旨の通知を行う。
また、前記においては、中断を通知する電子メールに情報源所在場所であるＵＲＬアドレスを含むようにしたが、情報源所在場所を示す情報はＵＲＬアドレスに制限されないし、単に画像処理装置を区別するためのアドレス情報や識別情報であってもよい。このようなアドレス情報や識別情報でも、少なくとも、複数の画像処理装置で並行して画像処理ジョブを行わせていたとき、どの画像処理装置の画像処理ジョブが中断されたかわかるという効果がある。
また、以上において説明したような画像処理ジョブ中断通知処理は例えば図５に示した動作フローを実行させるプログラムとそのプログラムに従って動作するＣＰＵにより実現することができる。また、そのプログラムを着脱可能な記憶媒体に記憶し、その記憶媒体をこれまで本発明によった画像処理ジョブ中断通知処理を行えなかったデジタル複写機やプリンタなど画像処理装置に装着することにより、または、そのようなプログラムをネットワークを介してそのような画像処理装置へ転送することにより、その画像処理装置においても本発明によった画像処理中断通知処理を行うことができる。
【００１５】
【発明の効果】
以上説明したように、本発明によれば、請求項１および請求項４記載の発明では、ネットワークに接続された画像処理装置にて指示された画像処理ジョブがその実行を妨げる中断理由により中断したとき、その中断理由に従ってその画像処理ジョブまたは中断理由に関係する関係メールアドレスに対して中断状態の発生が通知されるので、利用者はジョブ中断時の処置をスムースに行える。
また、請求項２および請求項５記載の発明では、請求項１または請求項４記載の発明において、関係メールアドレスを中断理由に従って追加することができるので、例えば当初の設定では中断時の通知先を画像処理ジョブを指示した者のメールアドレスだけにしておき、中断理由によっては当該画像処理装置の管理者やカスタマエンジニアなどにも通知するようにすることができる。
また、請求項６記載の発明では、請求項４または請求項５記載の発明において、中断を通知する電子メール中に当該画像処理装置を示すアドレスを含んでいるので例えば複数の画像処理装置で並行して画像処理ジョブを行わせていた場合でも、どの画像処理装置の画像処理ジョブが中断されたかわかる。
また、請求項３および請求項７記載の発明では、請求項１、請求項２、または請求項４、請求項５記載の発明において、中断を通知する電子メール中に当該画像処理装置のＵＲＬアドレスを含んでいるので、例えば複数の画像処理装置で並行して画像処理ジョブを行わせていた場合でも、どの画像処理装置の画像処理ジョブが中断されたかわかるし、ＵＲＬアドレスを用いて中断に係わる詳細情報を取得することができる。
また、請求項８記載の発明では、請求項６または請求項７記載の発明において、画像処理装置から前記アドレスを含む電子メールを受信した端末装置が、表示されたブラウザを用いてそのアドレスに対して表示要求を行ったとき、その表示要求を受信した画像処理装置が中断理由または処置方法を含む情報をその端末装置へ送信し、その情報を受信した端末装置では、受信した情報を表示させることができるので、利用者はジョブ中断に対して適切に且つすばやく対応することができる。
また、請求項９記載の発明では、プログラムにより、請求項４乃至請求項８のいずれか１項に記載の画像処理ジョブ中断通知方法によった画像処理ジョブ中断通知処理を画像処理装置上で実行させることができるので、これまで請求項４乃至請求項８のいずれか１項に記載の発明によった画像処理ジョブ中断通知処理を行えなかった画像処理装置にそのようなプログラムを備えることによりその画像処理装置において請求項４乃至請求項８のいずれか１項に記載の発明の効果を得ることができる。
また、請求項１０記載の発明では、請求項９記載のプログラムを着脱可能な記憶媒体に記憶することができるので、その記憶媒体をこれまで請求項４乃至請求項８のいずれか１項に記載の発明によった画像処理ジョブ中断通知処理を行えなかった画像処理装置に装着することにより、その画像処理装置においても請求項４乃至請求項８のいずれか１項に記載の発明の効果を得ることができる。
【図面の簡単な説明】
【図１】本発明の一実施例を示すデジタル複写機の概念図である。
【図２】本発明の一実施例を示すデジタル複写機要部の概念図である。
【図３】本発明の一実施例を示すデジタル複写機要部の構成ブロック図である。
【図４】本発明の一実施例を示すデジタル複写要部の他の構成ブロック図である。
【図５】本発明の一実施例を示すデジタル複写機の動作フロー図である。
【図６】本発明の一実施例を示すデジタル複写機の画面図である。
【図７】本発明の一実施例を示すデジタル複写機の他の画面図である。
【図８】本発明の一実施例を示すデジタル複写機の他の画面図である。
【図９】本発明の一実施例を示すデジタル複写機要部のデータ構成図である。
【図１０】本発明の一実施例を示す画像処理ジョブ中断通知方法の説明図である。
【図１１】本発明の一実施例を示す画像処理ジョブ中断通知方法の画面図である。
【符号の説明】
２０　システム制御部、２１　ＣＰＵ、３０　操作部、３１　液晶ディスプレイ、３２　キー入力部、６５　メモリコントローラ、６６　画像メモリ、６８　ハードディスク装置、７０　ＲＡＭ、７３　ネットワークインタフェースコントローラ
【図１】
2004064452.tif 000003
【図２】
2004064452.tif 000004
【図３】
2004064452.tif 000005
【図４】
2004064452.tif 000006
【図５】
2004064452.tif 000007
【図６】
2004064452.tif 000008
【図７】
2004064452.tif 000009
【図８】
2004064452.tif 000010
【図９】
2004064452.tif 000011
【図１０】
2004064452.tif 000012
【図１１】
2004064452.tif 000013